(57)【要約】  ＴＤＤ方式による通信をサポートする無線通信システムにおいて、基地局と通信を行うユーザ装置であって、前記基地局から通知されるサブフレームごとの構造を示す通知信号に基づいて、上りリンク信号にガード時間を設定して送信する送信手段と、前記基地局から下りリンク信号を受信する受信手段と、前記受信手段により受信された下りリンク信号に設定されているガード時間の位置を、前記通知信号に基づいて識別する識別手段と、を有するユーザ装置を提供する。
2016152676.tif 000002
【特許請求の範囲】
【請求項１】
ＴＤＤ方式による通信をサポートする無線通信システムにおいて、基地局と通信を行うユーザ装置であって、
前記基地局から通知されるサブフレームごとの構造を示す通知信号に基づいて、上りリンク信号にガード時間を設定して送信する送信手段と、
前記基地局から下りリンク信号を受信する受信手段と、
前記受信手段により受信された下りリンク信号に設定されているガード時間の位置を、前記通知信号に基づいて識別する識別手段と、を有するユーザ装置。
【請求項２】
前記通知信号は、所定のサブフレームが上りリンク信号に割り当てられるサブフレームなのか、下りリンク信号に割り当てられるサブフレームなのかと、ガード時間の有無と、ガード時間の位置とを示す信号である、請求項１に記載のユーザ装置。
【請求項３】
前記通知信号は、所定のサブフレーム内において、上りリンク信号に割り当てられる区間と、下りリンク信号に割り当てられる区間と、ガード時間の位置とを示す信号である、請求項１に記載のユーザ装置。
【請求項４】
前記所定のサブフレーム内におけるガード時間はサイクリックプレフィクスを含み、
前記送信手段は、ガード時間に含まれるサイクリックプレフィクスを無送信状態にする、請求項３に記載のユーザ装置。
【請求項５】
ＴＤＤ方式による通信をサポートする無線通信システムにおいて、ユーザ装置と通信を行う基地局であって、
サブフレームごとの構造を示す通知信号を生成する生成手段と、
前記ユーザ装置に前記通知信号を送信することで前記サブフレームごとの構造を通知する通知手段と、
前記通知信号に基づいて、下りリンク信号にガード時間を設定して送信する送信手段と、
前記ユーザ装置から上りリンク信号を受信する受信手段と、
前記受信手段により受信された上りリンク信号に設定されているガード時間の位置を、前記サブフレームごとの構造に基づいて識別する識別手段と、を有する基地局。
【請求項６】
フルデュプレックス方式による通信をサポートする無線通信システムにおいて、基地局と通信を行うユーザ装置であって、
前記基地局から通知される、所定のサブフレームにおけるリソースブロックごとの構造を示す通知信号を受信する受信手段と、
前記通知信号に基づいて、各リソースブロックが上り制御信号に割り当てられるリソースブロックなのか又は下り制御信号に割り当てられるリソースブロックなのかを識別し、各リソースブロックに含まれるガードサブキャリアの位置を識別する識別手段と、を有し、
前記受信手段は、前記識別手段により識別された下り制御信号に割り当てられるリソースブロックのうち、ガードサブキャリア以外のサブキャリアに含まれるデータを受信する、ユーザ装置。
【請求項７】
前記受信手段は、前記通知信号がマッピングされるリソースブロックにガードサブキャリアが含まれるのか、又は、当該通知信号がマッピングされるリソースブロックにガード時間が含まれるのかを示す識別信号に基づいて復調処理を行うことで前記通知信号を受信する、請求項６に記載のユーザ装置。
【請求項８】
前記識別信号は、前記通知信号がマッピングされるリソースブロックの先頭の１以上のＯＦＤＭシンボルにマッピングされる、請求項７に記載のユーザ装置。
【請求項９】
前記受信手段は、前記通知信号がマッピングされるリソースブロックに対応する複数の信号形式を予め記憶し、前記通知信号がマッピングされるリソースブロックを前記複数の信号形式の各々で復調処理を行うことで前記通知信号を受信する、請求項６に記載のユーザ装置。
【請求項１０】
フルデュプレックス方式による通信をサポートする無線通信システムにおいて、ユーザ装置と通信を行う基地局であって、
所定のサブフレームにおけるリソースブロックごとの構造を示す通知信号を生成する生成手段と、
前記ユーザ装置に前記通知信号を送信する第一の送信手段と、
前記リソースブロックごとの構造に基づいて、下り制御信号に割り当てられるリソースブロックにガードサブキャリアを設定してデータを送信する第二の送信手段と、を有する基地局。
【発明の詳細な説明】
【技術分野】
【０００１】
本発明は、ユーザ装置及び基地局に関する。
【背景技術】
【０００２】
ＬＴＥ（Long Term Evolution）／ＬＴＥ−Ａｄａｎｃｅｄにおける複信方式として、無線フレーム内において上りリンクに用いられるサブフレームと下りリンクに用いられるサブフレームとを、予め定められた構成比率により切り替えるＴＤＤ（Time Division Duplex）が知られている。【０００３】
無線フレーム内における上りリンクと下りリンクとの比率は、上り及び下りのトラフィック量に応じてオペレータの運用等により予め決定され、システム情報によりユーザ装置に通知される。【０００４】
また、ＬＴＥ／ＬＴＥ−Ａｄａｎｃｅｄでは、複数のユーザ装置から送信される上りリンク信号を基地局にて同期させるようにするため、タイミングアドバンス制御（ＴＡ制御）が導入されている。ＴＡ制御とは、基地局がユーザ装置から送信される信号の伝搬遅延を推測し、ユーザ装置に対して上りリンク信号の送信タイミングを指示することで、複数のユーザ装置から送信される上りリンク信号を同期させる仕組みである。【０００５】
また、ＴＤＤ方式では、上りリンク信号と下りリンク信号とが、ある時間で同時に送信されないようにする必要がある。そのため、ユーザ装置及び基地局間の伝搬遅延、及びＴＡ制御による上りリンク信号の送信タイミング調整を考慮した無送信区間が設定されている。この無送信区間はガード時間（ＧＰ：Guard Period）と呼ばれる。
【先行技術文献】
【特許文献】
【０００６】
【特許文献１】特開２０１４−２３６３６９号公報
【発明の概要】
【発明が解決しようとする課題】
【０００７】
ＴＤＤ方式は、予め定められた構成比率により上りリンク及び下りリンクのサブフレームが決定されてしまう。そこで、ＴＤＤ方式を拡張し、トラフィック量に応じて上りリンク及び下りリンクのサブフレームの構成比率を動的に変更するダイナミックＴＤＤ方式が検討されている。【０００８】
また、ＬＴＥ／ＬＴＥ−Ａｄｖａｎｃｅｄを拡張した第５世代と呼ばれる通信方式においては、同一のシステム帯域内で、ＴＡ制御を行う帯域とＴＡ制御を行わない帯域とを混在させたＯＦＤＭ（Orthogonal Frequency-Division Multiplexing）方式が検討されている。【０００９】
更に、ＬＴＥ／ＬＴＥ−Ａｄｖａｎｃｅｄを拡張した第５世代の無線技術においては、同一バンド幅において、上りリンク信号と下りリンク信号とを同時に送受信可能とするフルデュプレックスによる通信方式が検討されている。この通信方式においては、上りリンクの制御信号と下りリンクの制御信号との間に無通信のサブキャリア（以下、「ガードサブキャリア」という）を設けることで、上りリンクの制御信号がマッピングされるサブキャリアと下りリンクの制御信号がマッピングされるサブキャリアとの間で発生し得る干渉を低減させ、制御信号の通信品質を向上させるようにすることが検討されている。【００１０】
従って、将来の無線技術においては、ダイナミックＴＤＤの採用、ＴＡ制御を行う帯域とＴＡ制御を行わない帯域を混在させたＯＦＤＭ方式、フルデュプレックスによる通信方式等が様々に組み合わせられることが考えられ、上述のガード時間又はガードサブキャリアが様々な方式で動的に制御されることが想定される。【００１１】
しかしながら、従来のＬＴＥ／ＬＴＥ−Ａｄｖａｎｃｅｄでは、ガード時間を動的に制御する技術が存在しなかった。また、従来のＬＴＥ／ＬＴＥ−Ａｄｖａｎｃｅｄでは、ガードサブキャリアを設定可能とする技術が存在しなかった。【００１２】
開示の技術は上記に鑑みてなされたものであって、ガード時間を動的に制御する技術又はガードサブキャリアを設定可能とする技術を提供することを目的とする。
【課題を解決するための手段】
【００１３】
開示の技術によれば、ＴＤＤ方式による通信をサポートする無線通信システムにおいて、基地局と通信を行うユーザ装置であって、前記基地局から通知されるサブフレームごとの構造を示す通知信号に基づいて、上りリンク信号にガード時間を設定して送信する送信手段と、前記基地局から下りリンク信号を受信する受信手段と、前記受信手段により受信された下りリンク信号に設定されているガード時間の位置を、前記通知信号に基づいて識別する識別手段と、を有するユーザ装置が提供される。【００１４】
また、開示の技術によれば、ＴＤＤ方式による通信をサポートする無線通信システムにおいて、ユーザ装置と通信を行う基地局であって、サブフレームごとの構造を示す通知信号を生成する生成手段と、前記ユーザ装置に前記通知信号を送信することで前記サブフレームごとの構造を通知する通知手段と、前記通知信号に基づいて、下りリンク信号にガード時間を設定して送信する送信手段と、前記ユーザ装置から上りリンク信号を受信する受信手段と、前記受信手段により受信された上りリンク信号に設定されているガード時間の位置を、前記サブフレームごとの構造に基づいて識別する識別手段と、を有する基地局が提供される。【００１５】
また、開示の技術によれば、フルデュプレックス方式による通信をサポートする無線通信システムにおいて、基地局と通信を行うユーザ装置であって、前記基地局から通知される、所定のサブフレームにおけるリソースブロックごとの構造を示す通知信号を受信する受信手段と、前記通知信号に基づいて、各リソースブロックが上り制御信号に割り当てられるリソースブロックなのか又は下り制御信号に割り当てられるリソースブロックなのかを識別し、各リソースブロックに含まれるガードサブキャリアの位置を識別する識別手段と、を有し、前記受信手段は、前記識別手段により識別された下り制御信号に割り当てられるリソースブロックのうち、ガードサブキャリア以外のサブキャリアに含まれるデータを受信する、ユーザ装置が提供される。【００１６】
また、開示の技術によれば、フルデュプレックス方式による通信をサポートする無線通信システムにおいて、ユーザ装置と通信を行う基地局であって、所定のサブフレームにおけるリソースブロックごとの構造を示す通知信号を生成する生成手段と、前記ユーザ装置に前記通知信号を送信する第一の送信手段と、前記リソースブロックごとの構造に基づいて、下り制御信号に割り当てられるリソースブロックにガードサブキャリアを設定してデータを送信する第二の送信手段と、を有する基地局が提供される。
【発明の効果】
【００１７】
開示の技術によれば、ガード時間を動的に制御する技術又はガードサブキャリアを設定可能とする技術が提供される。
【図面の簡単な説明】
【００１８】
【図１】第一の実施の形態に係る無線通信システムの構成を示す図である。
【図２】ＴＡ制御を行う帯域とＴＡ制御を行わない帯域を混在させたＯＦＤＭ方式の概要を示す図である。
【図３】ガード時間の設定方式（その１）を説明するための図である。
【図４】ガード時間の設定方式（その２）を説明するための図である。
【図５】ガード時間の設定方式（その３）を説明するための図である。
【図６】ガード時間の設定方式（その４）を説明するための図である。
【図７】ガード時間の設定方式（その５）を説明するための図である。
【図８】ガード時間の設定方式（その６）を説明するための図である。
【図９】ガード時間の設定方式（その７）を説明するための図である。
【図１０】ガード時間の設定方式（その８）を説明するための図である。
【図１１】ガード時間の設定方式（その９）を説明するための図である。
【図１２】ガード時間の設定方式（その１０）を説明するための図である。
【図１３】ガード時間の設定方式（その１１）を説明するための図である。
【図１４】ガード時間の設定方式（その１２）を説明するための図である。
【図１５】ガード時間の設定方式（その１３）を説明するための図である。
【図１６】ガード時間の長さをＯＦＤＭシンボル長に置き換えた場合のガード時間の設定方法を説明するための図である。
【図１７】サブフレームをＯＦＤＭシンボル単位に置き換えた場合のガード時間設定方式の一例を説明するための図である。
【図１８】サイクリックプレフィクスの信号波形の一例を示す図である。
【図１９Ａ】サブフレーム構成を動的に制御する方式を説明するための図である。
【図１９Ｂ】サブフレーム構成を動的に制御する方式を説明するための図である。
【図２０】第一の実施の形態に係るユーザ装置の機能構成の一例を示す図である。
【図２１】第一の実施の形態に係る基地局の機能構成の一例を示す図である。
【図２２】第二の実施の形態に係るフルデュプレックスによる通信方式を説明するための図である。
【図２３】フルデュプレックスによる通信方式におけるリソースブロック構成の一例を示す図である。
【図２４】リソースブロック構成通知信号の信号フォーマットの一例を示す図である。
【図２５】リソースブロック構成通知信号が送信される制御信号の構成を説明するための図である。
【図２６】第二の実施の形態に係るユーザ装置の機能構成の一例を示す図である。
【図２７】第二の実施の形態に係る基地局の機能構成の一例を示す図である。
【図２８】実施の形態に係るユーザ装置のハードウェア構成の一例を示す図である。
【図２９】実施の形態に係る基地局のハードウェア構成の一例を示す図である。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する通信方式も含む広い意味で使用する。
【００２０】
なお、第一の実施の形態における無線通信システムは、ダイナミックＴＤＤにより動的に上りリンク及び下りリンクを切替えて通信を行うと共に、同一バンド幅の中で、ＴＡ制御を行う帯域とＴＡ制御を行わない帯域を混在させたＯＦＤＭ方式が用いられる前提で説明するが、これに限定されるわけではない。単にＴＡ制御を行わないＯＦＤＭ方式が用いられる通信方式など、さまざまな通信方式に適用することができる。
【００２１】
また、第二の実施の形態における無線通信システムは、同一バンド幅において、上りリンク信号と下りリンク信号とを同時に送受信可能とするフルデュプレックスによる通信方式が用いられる前提で説明するが、これに限定されるわけではない。
【００２２】
また、本発明の実施の形態は、第一の実施の形態と第二の実施の形態とを組み合わせることもできる。
【００２３】
［第一の実施の形態］
＜概要＞
図１は、第一の実施の形態に係る無線通信システムの構成を示す図である。図１に示すように、本実施の形態における無線通信システムは、ユーザ装置１０と基地局２０とを含む無線通信システムである。また、図１の例では、１つのセルが示されているが、これも図示の便宜上のものであり複数のセルが存在するようにしてもよい。また、例えば、基地局２０から離れた場所に、基地局２０と光ファイバ等で接続されるＲＲＥ（remote radio equipment）が備えられる構成であってもよい。
【００２４】
ユーザ装置１０は、無線を通じて基地局２０及びコアネットワーク等と通信を行う機能を有する。ユーザ装置１０は、例えば、携帯電話、スマートフォン、タブレット、モバイルルータ、ウェアラブル端末などである。ユーザ装置１０は、通信機能を有する機器であれば、どのようなユーザ装置１０であってもよい。ユーザ装置１０は、プロセッサなどのＣＰＵ、ＲＯＭ、ＲＡＭ又はフラッシュメモリなどのメモリ装置、基地局２０と通信するためのアンテナ、ＲＦ（Radio Frequency）装置などのハードウェアリソースにより構成される。ユーザ装置１０の各機能及び処理は、メモリ装置に格納されているデータやプログラムをプロセッサが処理又は実行することによって実現されてもよい。しかしながら、ユーザ装置１０は、上述したハードウェア構成に限定されず、他の何れか適切なハードウェア構成を有してもよい。
【００２５】
基地局２０は、無線を通じてユーザ装置１０との間で通信を行う。基地局２０は、プロセッサなどのＣＰＵ、ＲＯＭ、ＲＡＭ又はフラッシュメモリなどのメモリ装置、ユーザ装置１０等と通信するためのアンテナ、隣接する基地局２０及びコアネットワーク等と通信するための通信インターフェース装置などのハードウェアリソースにより構成される。基地局２０の各機能及び処理は、メモリ装置に格納されているデータやプログラムをプロセッサが処理又は実行することによって実現されてもよい。しかしながら、基地局２０は、上述したハードウェア構成に限定されず、他の何れか適切なハードウェア構成を有してもよい。
【００２６】
ここで、本実施の形態における無線通信システムは、ダイナミックＴＤＤにより動的に上りリンク及び下りリンクを切替えて通信を行うと共に、同一バンド幅の中で、ＴＡ制御を行う帯域とＴＡ制御を行わない帯域を混在させたＯＦＤＭ方式を用いる。
【００２７】
図２は、ＴＡ制御を行う帯域とＴＡ制御を行わない帯域を混在させたＯＦＤＭ方式の概要を示す図である。図２に示すように、所定のバンド幅の中にＴＡ制御が行われない周波数帯域と、ＴＡ制御が行われる周波数帯域とが含まれている。ＴＡ制御が行われない周波数帯域は、ＴＴＩ（Transmission Time Interval）長を長くすることで比較的低レートの通信に用いられ、ＴＡ制御が行われる周波数帯域は、ＴＴＩ長を短くすることで高レートの通信に用いられることが想定さている。
【００２８】
従来のＴＤＤ方式では、同一周波数にて上りリンク送信と下りリンク送信とが同時に行われないようにするため、サブフレーム内にガード時間が設けられている。このガード時間は、セル半径を考慮した伝搬遅延時間と、ＴＡ制御により変更される送信タイミングとを考慮して設計されている。従来のＴＤＤ方式では、上りリンク信号に割り当てられるサブフレームと下りリンク信号に割り当てられるサブフレームは予め固定されている。また、ガード時間は、スペシャルサブフレームに含まれている。
【００２９】
ダイナミックＴＤＤでは、上りリンク信号に割り当てられるサブフレームと下りリンク信号に割り当てられるサブフレームとが動的に変更されることから、サブフレーム内におけるガード時間の設定方式として様々な方式が考えられる。また、ＴＡ制御が行われない場合、ユーザ装置１０は、下りリンク信号を受信したタイミングに合わせて上りリンク信号を送信することになるため、サブフレーム内におけるガード時間の設定方式として様々な方式が考えられる。
【００３０】
＜処理方式＞
以下、ＴＡ制御が行われる場合及びＴＡ制御が行われる場合について、複数のガード時間の設定方式を説明する。
【００３１】
（ガード時間設定方式）
図３は、ガード時間の設定方式（その１）を説明するための図である。図３（ａ）は、ＴＡ制御が行われない場合のガード時間の設定方式の一例である。図３（ｂ）は、ＴＡ制御が行われる場合のガード時間の設定方式の一例である。
【００３２】
図３において、「ＤＬ（Downlink）−Ｒｘ」は、ユーザ装置１０で受信される下りリンク信号を意味している。「ＵＬ（Uplink）−Ｔｘ」は、ユーザ装置１０から送信される上りリンク信号を意味している。「ＤＬ−Ｔｘ」は、基地局２０から送信される下りリンク信号を意味している。「ＵＬ−Ｒｘ」は、基地局２０で受信される上りリンク信号を意味している。すなわち、「ＤＬ−Ｔｘ」及び「ＤＬ−Ｒｘ」は互いに対になっており、同様に、「ＵＬ−Ｔｘ」及び「ＵＬ−Ｒｘ」は互いに対になっている。また、「ＧＰ１（Guard Period 1）」は、ユーザ装置１０において、送信と受信とを切替えるために必要な時間を設けるためのガード時間を表しており、「ＧＰ２（Guard Period 2）」は、セル半径における最大伝搬遅延（セル端に位置するユーザ装置１０と基地局２０との間の伝搬遅延）を考慮するためのガード時間を表している。すなわち、ＧＰ１の長さ（時間）は、ユーザ装置１０において、送信と受信とを切替えるために必要な時間と同一であり、ＧＰ２の長さ（時間）は、無線通信システムで設定されるセルのセル半径における最大伝搬遅延時間と同一である。なお、ＧＰ２の長さ（時間）は、セルのセル半径ごとに決定される。すなわち、ＧＰ２の長さ（時間）はセルの大きさごとに異なる。
【００３３】
また、「Ｔ」は、無線通信システムで設定されるセルのセル半径における最大伝搬遅延時間を表している。すなわち、図３は、伝搬遅延時間が最大である場合に、各サブフレーム（＃１〜＃６）がユーザ装置１０と基地局２０との間で伝搬される様子を表しているともいえる。また、「Ｔ２」は、ＴＡ制御により基地局２０から指示された時間（送信を前倒しする時間）を表している。ＴＡ制御では、基地局２０は、ユーザ装置１０に対して、下りサブフレームを受信したタイミングに対して、上りサブフレームを送信するタイミングをどの程度前倒しすればよいかを指示する。本実施の形態において、ＴＡ制御の方法は従来のＬＴＥにおけるＴＡ制御の方法と同一であるため詳細な説明は省略するが、図３は伝搬遅延時間が最大である場合を図示しているため、図３の場合、Ｔ２は、実質的にＴの２倍の時間になる。
【００３４】
まず、図３（ａ）について説明する。図３（ａ）の例では、ユーザ装置１０は、基地局２０から送信された下りサブフレームを受信したタイミングで上りサブフレームの送信を開始する前提とする。
【００３５】
ユーザ装置１０は、下りサブフレームの次のサブフレームが上りサブフレームである場合、下りサブフレームの次の上りサブフレームの先頭にＧＰ１を一つ付与するようにする。図３（ａ）の例では、上りサブフレーム＃３の先頭にＧＰ１が一つ付与されている。また、ユーザ装置１０は、上りサブフレームの次のサブフレームが下りサブフレームである場合、上りサブフレームの最後にＧＰ２を二つ付与するようにする。図３（ａ）の例では、上りサブフレーム＃４の最後にＧＰ２が二つ付与されている。
【００３６】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図３（ａ）の例では全ての区間）とが重ならないため、上り通信と下り通信との干渉が防止される。
【００３７】
次に、図３（ｂ）について説明する。図３（ｂ）の例では、ユーザ装置１０は、基地局２０からのＴＡ制御により、上りサブフレームを、下りサブフレームを受信したタイミングからＴ２時間前倒して送信を開始する前提とする。
【００３８】
ユーザ装置１０は、下りサブフレームの次のサブフレームが上りサブフレームである場合、下りサブフレームの次の上りサブフレームの先頭にＧＰ１を一つと、ＧＰ２を二つ付与するようにする。図３（ｂ）の例では、上りサブフレーム＃３の先頭にＧＰ１が一つ、ＧＰ２が二つ付与されている。
【００３９】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図３（ｂ）の例では全ての区間）と、下りサブフレーム＃５のうちデータが含まれている区間（図３（ｂ）の例では全ての区間）とが重ならないため、上り通信と下り通信との干渉が防止される。
【００４０】
図４は、ガード時間の設定方式（その２）を説明するための図である。図４は、ＴＡ制御が行われない場合のガード時間の設定方式の一例である。特に言及しない点は図３と同様とする。
【００４１】
図４の例では、ユーザ装置１０は、基地局２０から送信された下りサブフレームを受信したタイミングからＧＰ２の２倍の時間を前倒しして上りサブフレームの送信を開始する前提とする。
【００４２】
ユーザ装置１０は、下りサブフレームの次のサブフレームが上りサブフレームである場合、下りサブフレームの次の上りサブフレームの先頭にＧＰ１を一つ、ＧＰ２を二つ付与するようにする。図４の例では、上りサブフレーム＃３の先頭にＧＰ１が一つ、ＧＰ２が二つ付与されている。
【００４３】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図４の例では全ての区間）と、下りサブフレーム＃５のうちデータが含まれている区間（図４の例では全ての区間）とが重ならないため、上り通信と下り通信との干渉が防止される。
【００４４】
なお、図４の例におけるガード時間は、図３（ｂ）と同一である。すなわち、図４のガード時間付与方式は、ＴＡ制御が行われる場合及びＴＡ制御が行われない場合でフレーム構成を共通化できる。
【００４５】
図５は、ガード時間の設定方式（その３）を説明するための図である。図５（ａ）は、ＴＡ制御が行われない場合のガード時間の設定方式の一例である。図５（ｂ）は、ＴＡ制御が行われる場合のガード時間の設定方式の一例である。特に言及しない点は図３と同様とする。
【００４６】
まず、図５（ａ）について説明する。図５（ａ）の例では、ユーザ装置１０は、基地局２０から送信された下りサブフレームを受信したタイミングで上りサブフレームの送信を開始する前提とする。
【００４７】
基地局２０は、下りサブフレームの次のサブフレームが上りサブフレームである場合、下りサブフレームの最後にＧＰ１を一つ付与するようにする。図５（ａ）の例では、下りサブフレーム＃２の最後にＧＰ１が一つ付与されている。また、ユーザ装置１０は、上りサブフレームの次のサブフレームが下りサブフレームである場合、上りサブフレームの最後にＧＰ２を二つ付与するようにする。図５（ａ）の例では、上りサブフレーム＃４の最後にＧＰ２が二つ付与されている。
【００４８】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図５（ａ）の例では全ての区間）とが重ならないため、上り通信と下り通信との干渉が防止される。
【００４９】
次に、図５（ｂ）について説明する。図５（ｂ）の例では、ユーザ装置１０は、基地局２０からのＴＡ制御により、上りサブフレームを、下りサブフレームを受信したタイミングからＴ２時間前倒して送信を開始する前提とする。
【００５０】
基地局２０は、下りサブフレームの次のサブフレームが上りサブフレームである場合、下りサブフレームの最後にＧＰ１を一つ付与するようにする。図５（ｂ）の例では、下りサブフレーム＃２の最後にＧＰ１が付与されている。また、ユーザ装置１０は、下りサブフレームの次のサブフレームが上りサブフレームである場合、上りサブフレームの最初にＧＰ２を二つ付与するようにする。図５（ｂ）の例では、上りサブフレーム＃３の最初にＧＰ２が二つ付与されている。
【００５１】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図５（ｂ）の例では全ての区間）と、下りサブフレーム＃５のうちデータが含まれている区間（図５（ｂ）の例では全ての区間）とが重ならないため、上り通信と下り通信との干渉が防止される。
【００５２】
図６は、ガード時間の設定方式（その４）を説明するための図である。図６は、ＴＡ制御が行われない場合のガード時間の設定方式の一例である。特に言及しない点は図３と同様とする。
【００５３】
図６の例では、ユーザ装置１０は、基地局２０から送信された下りサブフレームを受信したタイミングからＧＰ２の２倍の時間を前倒しして上りサブフレームの送信を開始する前提とする。
【００５４】
基地局２０は、下りサブフレームの次のサブフレームが上りサブフレームである場合、下りサブフレームの最後にＧＰ１を一つ付与するようにする。図６の例では、下りサブフレーム＃２の最後にＧＰ１が一つ付与されている。また、ユーザ装置１０は、下りサブフレームの次のサブフレームが上りサブフレームである場合、上りサブフレームの最初にＧＰ２を二つ付与するようにする。図６の例では、上りサブフレーム＃３の最初にＧＰ２が二つ付与されている。
【００５５】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図６の例では全ての区間）と、下りサブフレーム＃５のうちデータが含まれている区間（図６の例では全ての区間）とが重ならないため、上り通信と下り通信との干渉が防止される。
【００５６】
なお、図６の例におけるガード時間は、図５（ｂ）と同一である。すなわち、図６のガード時間付与方式は、ＴＡ制御が行われる場合及びＴＡ制御が行われない場合でフレーム構成を共通化できる。
【００５７】
図７は、ガード時間の設定方式（その５）を説明するための図である。図７（ａ）は、ＴＡ制御が行われない場合のガード時間の設定方式の一例である。図７（ｂ）は、ＴＡ制御が行われる場合のガード時間の設定方式の一例である。特に言及しない点は図３と同様とする。
【００５８】
まず、図７（ａ）について説明する。図７（ａ）の例では、ユーザ装置１０は、基地局２０から送信された下りサブフレームを受信したタイミングからＧＰ２の時間を前倒しして上りサブフレームの送信を開始する前提とする。
【００５９】
基地局２０は、下りサブフレームの次のサブフレームが上りサブフレームである場合、下りサブフレームの最後にＧＰ１を一つ、ＧＰ２を一つ付与するようにする。図７（ａ）の例では、下りサブフレーム＃２の最後にＧＰ１が一つ、ＧＰ２が一つ付与されている。また、ユーザ装置１０は、上りサブフレームの次のサブフレームが下りサブフレームである場合、上りサブフレームの最後にＧＰ２を一つ付与するようにする。図７（ａ）の例では、上りサブフレーム＃４の最後にＧＰ２が一つ付与されている。
【００６０】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図７（ａ）の例では全ての区間）とが重ならないため、上り通信と下り通信との干渉が防止される。
【００６１】
次に、図７（ｂ）について説明する。図７（ｂ）の例では、ユーザ装置１０は、基地局２０からのＴＡ制御により、上りサブフレームを、下りサブフレームを受信したタイミングからＴ２時間前倒して送信を開始する前提とする。
【００６２】
基地局２０は、下りサブフレームの次のサブフレームが上りサブフレームである場合、下りサブフレームの最後にＧＰ１を一つ、ＧＰ２を二つ付与するようにする。図７（ｂ）の例では、下りサブフレーム＃２の最後にＧＰ１が一つ、ＧＰ２が二つ付与されている。
【００６３】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図７（ｂ）の例では全ての区間）と、下りサブフレーム＃５のうちデータが含まれている区間（図７（ｂ）の例では全ての区間）とが重ならないため、上り通信と下り通信との干渉が防止される。
【００６４】
図８は、ガード時間の設定方式（その６）を説明するための図である。図８は、ＴＡ制御が行われない場合のガード時間の設定方式の一例である。特に言及しない点は図３と同様とする。
【００６５】
図８の例では、ユーザ装置１０は、基地局２０から送信された下りサブフレームを受信したタイミングからＧＰ２の２倍の時間を前倒しして上りサブフレームの送信を開始する前提とする。
【００６６】
基地局２０は、下りサブフレームの次のサブフレームが上りサブフレームである場合、下りサブフレームの最後にＧＰ１を一つ、ＧＰ２を二つ付与するようにする。図８の例では、下りサブフレーム＃２の最後にＧＰ１が一つ、ＧＰ２が二つ付与されている。
【００６７】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図８の例では全ての区間）と、下りサブフレーム＃５のうちデータが含まれている区間（図８の例では全ての区間）とが重ならないため、上り通信と下り通信との干渉が防止される。
【００６８】
なお、図８の例におけるガード時間は、図７（ｂ）と同一である。すなわち、図８のガード時間付与方式は、ＴＡ制御が行われる場合及びＴＡ制御が行われない場合でフレーム構成を共通化できる。
【００６９】
図９は、ガード時間の設定方式（その７）を説明するための図である。図９（ａ）は、ＴＡ制御が行われない場合のガード時間の設定方式の一例である。図９（ｂ）は、ＴＡ制御が行われる場合のガード時間の設定方式の一例である。特に言及しない点は図３と同様とする。
【００７０】
まず、図９（ａ）について説明する。図９（ａ）の例では、ユーザ装置１０は、基地局２０から送信された下りサブフレームを受信したタイミングで上りサブフレームの送信を開始する前提とする。
【００７１】
基地局２０は、下りサブフレームの次のサブフレームが上りサブフレームである場合、下りサブフレームの最後にＧＰ１を一つ、ＧＰ２を二つ付与するようにする。図９（ａ）の例では、下りサブフレーム＃２の最後にＧＰ１が一つ、ＧＰ２が二つ付与されている。また、ユーザ装置１０は、上りサブフレームの次のサブフレームが下りサブフレームである場合、上りサブフレームの最後にＧＰ２を二つ付与するようにする。図９（ａ）の例では、上りサブフレーム＃４の最後にＧＰ２が二つ付与されている。
【００７２】
これにより、下りサブフレーム＃２から上りサブフレーム＃３に切り替わる際に、ＧＰ１の長さ以上のガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図９（ａ）の例では全ての区間）とが重ならないため、上り通信と下り通信との干渉が防止される。
【００７３】
次に、図９（ｂ）について説明する。図９（ｂ）の例では、ユーザ装置１０は、基地局２０からのＴＡ制御により、上りサブフレームを、下りサブフレームを受信したタイミングからＴ２時間前倒して送信を開始する前提とする。図９（ｂ）のサブフレーム構成は、図９（ａ）のサブフレーム構成と同一であるため説明は省略する。
【００７４】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図９（ｂ）の例では全ての区間）とが重ならないため、上り通信と下り通信との干渉が防止される。
【００７５】
また、図９（ａ）と図９（ｂ）の例におけるガード時間は同一である。すなわち、図９のガード時間付与方式は、ＴＡ制御が行われる場合及びＴＡ制御が行われない場合でフレーム構成を共通化できる。また、図９（ａ）の場合、伝搬遅延が無いに等しい場合、基地局２０において、上りサブフレームと下りサブフレームとのタイミングが一致するという利点がある。
【００７６】
図１０は、ガード時間の設定方式（その８）を説明するための図である。図１０（ａ）は、ＴＡ制御が行われない場合のガード時間の設定方式の一例である。図１０（ｂ）は、ＴＡ制御が行われる場合のガード時間の設定方式の一例である。特に言及しない点は図３と同様とする。
【００７７】
まず、図１０（ａ）について説明する。図１０（ａ）の例では、ユーザ装置１０は、基地局２０から送信された下りサブフレームを受信したタイミングからＧＰ２の時間を前倒しして上りサブフレームの送信を開始する前提とする。
【００７８】
基地局２０は、下りサブフレームの次のサブフレームが上りサブフレームである場合、下りサブフレームの最後にＧＰ２を一つ付与するようにする。図１０（ａ）の例では、下りサブフレーム＃２の最後にＧＰ２が一つ付与されている。また、ユーザ装置１０は、下りサブフレームの次のサブフレームが上りサブフレームである場合、上りサブフレームの最初にＧＰ１を一つ付与するようにする。また、ユーザ装置１０は、上りサブフレームの次のサブフレームが下りサブフレームである場合、上りサブフレームの最後にＧＰ２を一つ付与するようにする。図１０（ａ）の例では、上りサブフレーム＃３の最初にＧＰ１が一つ、上りサブフレーム＃４の最後にＧＰ２が一つ付与されている。
【００７９】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図１０（ａ）の例では全ての区間）とが重ならないため、上り通信と下り通信との干渉が防止される。
【００８０】
次に、図１０（ｂ）について説明する。図１０（ｂ）の例では、ユーザ装置１０は、基地局２０からのＴＡ制御により、上りサブフレームを、下りサブフレームを受信したタイミングからＴ２時間前倒して送信を開始する前提とする。
【００８１】
基地局２０は、下りサブフレームの次のサブフレームが上りサブフレームである場合、下りサブフレームの最後にＧＰ２を二つ付与するようにする。図１０（ｂ）の例では、下りサブフレーム＃２の最後にＧＰ２が二つ付与されている。また、ユーザ装置１０は、下りサブフレームの次のサブフレームが上りサブフレームである場合、上りサブフレームの最初にＧＰ１を一つ付与するようにする。図１０（ｂ）の例では、上りサブフレーム＃３の最初にＧＰ１が一つ付与されている。
【００８２】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図１０（ｂ）の例では全ての区間）と、下りサブフレーム＃５のうちデータが含まれている区間（図１０（ｂ）の例では全ての区間）とが重ならないため、上り通信と下り通信との干渉が防止される。
【００８３】
図１１は、ガード時間の設定方式（その９）を説明するための図である。図１１は、ＴＡ制御が行われない場合のガード時間の設定方式の一例である。特に言及しない点は図３と同様とする。
【００８４】
図１１の例では、ユーザ装置１０は、基地局２０から送信された下りサブフレームを受信したタイミングからＧＰ２の２倍の時間を前倒しして上りサブフレームの送信を開始する前提とする。
【００８５】
基地局２０は、下りサブフレームの次のサブフレームが上りサブフレームである場合、下りサブフレームの最後にＧＰ２を二つ付与するようにする。図１１の例では、下りサブフレーム＃２の最後にＧＰ２が二つ付与されている。また、ユーザ装置１０は、下りサブフレームの次のサブフレームが上りサブフレームである場合、上りサブフレームの最初にＧＰ１を一つ付与するようにする。図１１の例では、上りサブフレーム＃３の最初にＧＰ１が一つ付与されている。
【００８６】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図１１の例では全ての区間）と、下りサブフレーム＃５のうちデータが含まれている区間（図１１の例では全ての区間）とが重ならないため、上り通信と下り通信との干渉が防止される。
【００８７】
なお、図１１の例におけるガード時間は、図１０（ｂ）と同一である。すなわち、図１１のガード時間付与方式は、ＴＡ制御が行われる場合及びＴＡ制御が行われない場合でフレーム構成を共通化できる。
【００８８】
図１２は、ガード時間の設定方式（その１０）を説明するための図である。図１２（ａ）は、ＴＡ制御が行われない場合のガード時間の設定方式の一例である。図１２（ｂ）は、ＴＡ制御が行われる場合のガード時間の設定方式の一例である。特に言及しない点は図３と同様とする。
【００８９】
まず、図１２（ａ）について説明する。図１２（ａ）の例では、ユーザ装置１０は、基地局２０から送信された下りサブフレームを受信したタイミングで上りサブフレームの送信を開始する前提とする。
【００９０】
基地局２０は、下りサブフレームの次のサブフレームが上りサブフレームである場合、下りサブフレームの最後にＧＰ２を二つ付与するようにする。図１２（ａ）の例では、下りサブフレーム＃２の最後にＧＰ２が二つ付与されている。また、ユーザ装置１０は、下りサブフレームの次のサブフレームが上りサブフレームである場合、上りサブフレームの最初にＧＰ１を一つ付与するようにする。図１２（ａ）の例では、上りサブフレーム＃３の最初にＧＰ１が一つ付与されている。
【００９１】
これにより、下りサブフレーム＃２から上りサブフレーム＃３に切り替わる際に、ＧＰ１の長さ以上のガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図１２（ａ）の例では全ての区間）とが重ならないため、上り通信と下り通信との干渉が防止される。
【００９２】
次に、図１２（ｂ）について説明する。図１２（ｂ）の例では、ユーザ装置１０は、基地局２０からのＴＡ制御により、上りサブフレームを、下りサブフレームを受信したタイミングからＴ２時間前倒して送信を開始する前提とする。図１２（ｂ）のサブフレーム構成は、図１２（ａ）のサブフレーム構成と同一であるため説明は省略する。
【００９３】
これにより、下りサブフレーム＃２から上りサブフレーム＃３に切り替わる際に、ＧＰ１の長さのガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図１２（ｂ）の例では全ての区間）とが重ならないため、上り通信と下り通信との干渉が防止される。
【００９４】
また、図１２（ａ）と図１２（ｂ）の例におけるガード時間は同一である。すなわち、図９のガード時間付与方式は、ＴＡ制御が行われる場合及びＴＡ制御が行われない場合でフレーム構成を共通化できる。また、図１２（ａ）の場合、伝搬遅延が無いに等しい場合、基地局２０において、上りサブフレームと下りサブフレームとのタイミングが一致するという利点がある。
【００９５】
図１３は、ガード時間の設定方式（その１１）を説明するための図である。図１３（ａ）は、ＴＡ制御が行われない場合のガード時間の設定方式の一例である。図１３（ｂ）は、ＴＡ制御が行われる場合のガード時間の設定方式の一例である。特に言及しない点は図３と同様とする。なお、図１３において、ＴＴＩ長が、ＧＰ１の時間とＧＰ２の２倍の時間とを加えた時間より長い前提とする。
【００９６】
まず、図１３（ａ）について説明する。図１３（ａ）の例では、ユーザ装置１０は、基地局２０から送信された下りサブフレームを受信したタイミングで上りサブフレームの送信を開始する前提とする。
【００９７】
基地局２０は、下りサブフレームの次のサブフレームが上りサブフレームである場合、下りサブフレーム全体をガード時間にする。図１３（ａ）の例では、下りサブフレーム＃２全体がガード時間に設定されている。また、ユーザ装置１０は、上りサブフレームの次のサブフレームが下りサブフレームである場合、上りサブフレームの最後にＧＰ２を二つ付与するようにする。図１３（ａ）の例では、上りサブフレーム＃４の最後にＧＰ２が二つ付与されている。
【００９８】
これにより、下りサブフレーム＃２から上りサブフレーム＃３に切り替わる際に、ＧＰ１の長さ以上のガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図１３（ａ）の例では全ての区間）とが重ならないため、上り通信と下り通信との干渉が防止される。
【００９９】
次に、図１３（ｂ）について説明する。図１３（ｂ）の例では、ユーザ装置１０は、基地局２０からのＴＡ制御により、上りサブフレームを、下りサブフレームを受信したタイミングからＴ２時間前倒して送信を開始する前提とする。
【０１００】
基地局２０は、下りサブフレームの次のサブフレームが上りサブフレームである場合、下りサブフレーム全体をガード時間にする。図１３（ｂ）の例では、下りサブフレーム＃２全体がガード時間に設定されている。
【０１０１】
これにより、下りサブフレーム＃２から上りサブフレーム＃３に切り替わる際に、ＧＰ１の長さの以上ガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図１３（ｂ）の例では全ての区間）と、下りサブフレーム＃５のうちデータが含まれている区間（図１３（ｂ）の例では全ての区間）とが重ならないため、上り通信と下り通信との干渉が防止される。
【０１０２】
図１４は、ガード時間の設定方式（その１２）を説明するための図である。図１４は、ＴＡ制御が行われない場合のガード時間の設定方式の一例である。特に言及しない点は図３と同様とする。
【０１０３】
図１４の例では、ユーザ装置１０は、基地局２０から送信された下りサブフレームを受信したタイミングからＧＰ２の時間を前倒しして上りサブフレームの送信を開始する前提とする。また、ＴＴＩ長が、ＧＰ１の時間とＧＰ２の２倍の時間とを加えた時間より長い前提とする。
【０１０４】
基地局２０は、下りサブフレームの次のサブフレームが上りサブフレームである場合、下りサブフレーム全体をガード時間にする。図１４の例では、下りサブフレーム＃２全体がガード時間に設定されている。また、ユーザ装置１０は、上りサブフレームの次のサブフレームが下りサブフレームである場合、上りサブフレームの最後にＧＰ２を一つ付与するようにする。図１４の例では、上りサブフレーム＃４の最後にＧＰ２が一つ付与されている。
【０１０５】
これにより、下りサブフレーム＃２から上りサブフレーム＃３に切り替わる際に、ＧＰ１の長さ以上のガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（サブフレーム＃４のうちＧＰ２を除いた区間）と、下りサブフレーム＃５のうちデータが含まれている区間（図１４の例では全ての区間）とが重ならないため、上り通信と下り通信との干渉が防止される。
【０１０６】
図１５は、ガード時間の設定方式（その１３）を説明するための図である。図１５は、ＴＡ制御が行われない場合のガード時間の設定方式の一例である。特に言及しない点は図３と同様とする。
【０１０７】
図１５の例では、ユーザ装置１０は、基地局２０から送信された下りサブフレームを受信したタイミングからＧＰ２の２倍の時間を前倒しして上りサブフレームの送信を開始する前提とする。また、ＴＴＩ長が、ＧＰ１の時間とＧＰ２の２倍の時間とを加えた時間より長い前提とする。
【０１０８】
基地局２０は、下りサブフレームの次のサブフレームが上りサブフレームである場合、下りサブフレーム全体をガード時間にする。図１５の例では、下りサブフレーム＃２全体がガード時間に設定されている。
【０１０９】
これにより、下りサブフレーム＃２から上りサブフレーム＃３に切り替わる際に、ＧＰ１の長さ以上のガード時間が必ず付与されることになるため、ユーザ装置１０で送信と受信とを切替える時間が確保されると共に、上り通信と下り通信との干渉が防止される。また、上りサブフレーム＃４のうちデータが含まれている区間（図１５の例では全ての区間）と、下りサブフレーム＃５のうちデータが含まれている区間（図１５の例では全ての区間）とが重ならないため、上り通信と下り通信との干渉が防止される。
【０１１０】
以上、ＴＡ制御が行われる場合及びＴＡ制御が行われる場合について、複数のガード時間の設定方式を説明したが、ガード時間の長さについては、ＯＦＤＭシンボル長に置き換えるようにしてもよい。
【０１１１】
図１６は、ガード時間の長さをＯＦＤＭシンボル長に置き換えた場合のガード時間の設定方法を説明するための図である。図１６（ａ１）〜図１６（ａ５）は、ＧＰ１又はＧＰ２が付与されたサブフレーム構成の一例を示している。図１６（ｂ１）〜図１６（ｂ５）は、図１６（ａ１）〜図１６（ａ５）におけるガード時間の長さを、それぞれの長さに対応する必要最小限のＯＦＤＭシンボル長に置き換えた場合のサブフレーム構成の一例を示している。
【０１１２】
例えば、図１６（ａ１）は、ＧＰ１が一つ、ＧＰ２が二つのガード時間が付与されている。ＯＦＤＭシンボル５個分の時間が、（ＧＰ１＋ＧＰ２×２）の時間より長い場合、図１６（ａ１）を図１６（ｂ１）に置き換えても、必要なガード時間の長さが確保されることになる。すなわち、図３〜図１５で説明した各サブフレームに付与されるガード時間は、それぞれＯＦＤＭシンボル長の倍数の長さの時間に置き換えるようにしてもよい。
【０１１３】
なお、図１６の例では、サブフレームの後ろにガード時間が設定されているが、サブフレームの先頭にガード時間が設定されている場合についても、同様にＯＦＤＭシンボル長の倍数の長さの区間に置き換えることもできる。
【０１１４】
以上、ＴＡ制御が行われる場合及びＴＡ制御が行われる場合について、複数のガード時間の設定方式を説明した。なお、図３〜図１５において、ＧＰ１とＧＰ２とを区別しないようにしてもよい。すなわち、ユーザ装置１０及び基地局２０は、ＧＰ１とＧＰ２とを組み合わせたガード時間を、単一のガード時間として付与（設定）するようにしてもよい。
【０１１５】
なお、図３〜図１５では、サブフレーム単位で上りリンクと下りリンクとが切り替わるようにしたが、例えば、サブフレームの途中で上りリンクと下りリンクとが切り替わる構成にも適用することができる。その場合、ＧＰ１又はＧＰ２は、サブフレームの中間に配置されることになる。
【０１１６】
（ガード時間設定方式（ＯＦＤＭシンボル単位））
本実施の形態に係る無線通信システムは、ＯＦＤＭシンボル単位で上りリンク及び下りリンクを切替えるように動作するダイナミックＴＤＤ方式により通信を行うようにしてもよい。この場合においても、図３〜図１５で説明したガード時間の設定方式を適用することができる。
【０１１７】
図１７は、サブフレームをＯＦＤＭシンボル単位に置き換えた場合のガード時間設定方式の一例を説明するための図である。＃１〜＃Ｎは、１ＴＴＩ長に含まれるＯＦＤＭシンボルを示している。また、図１７は、ＴＡ制御が行われる前提とする。「Ｔ」、「ＧＰ１」及び「ＧＰ２」は、図３と同一である。
【０１１８】
まず、ＯＦＤＭシンボル＃１、＃２及び＃５が下りリンクに設定され、ＯＦＤＭシンボル＃３及び＃４が上りリンクに設定される場合、基地局２０で認識されるＯＦＤＭシンボル＃３の前半に、ＧＰ１が一つ、ＧＰ２が二つのガード時間が付与されるようにする。また、ユーザ装置１０で認識されるＯＦＤＭシンボル＃４の後半に、ＧＰ２が二つのガード時間が付与されるようにする。これにより、ユーザ装置１０では、遅延時間が最大の場合であっても、ＯＦＤＭシンボル＃２とＯＦＤＭシンボル＃３との間にＧＰ１のガード時間が残されるため、ユーザ装置１０で送信と受信とを切替える時間が確保されると共に、上り通信と下り通信との干渉が防止される。また、基地局２０では、ＯＦＤＭシンボル＃４に上りリンクのデータが含まれている区間と、ＯＦＤＭシンボル＃５に下りリンクのデータが含まれている区間とが重ならないため、上り通信と下り通信との干渉が防止される。
【０１１９】
なお、図１７のガード時間設定方式は、図３（ｂ）の基地局２０のサブフレーム構成をＯＦＤＭシンボル構成に置き換えたものである。従って、図３（ｂ）以外のガード時間設定方式（図３〜図１５で説明したガード時間設定方式）も、同様にサブフレーム単位をＯＦＤＭシンボル単位に置き換えることができる。すなわち、本実施の形態に係る無線通信システムにおいて、ＯＦＤＭシンボル単位で上りリンク及び下りリンクを切替えるように動作するダイナミックＴＤＤ方式におけるガード時間設定方式に、図３〜図１５のガード時間設定方式を適用するようにしてもよい。
【０１２０】
なお、図１７に示すガード時間設定方式において、ＯＦＤＭシンボルの先頭にガード時間を設ける場合、ＯＦＤＭシンボルの先頭に含まれるサイクリックプレフィクス（Cyclic Prefix）の区間を無送信にするようにしてもよい。
【０１２１】
図１８は、サイクリックプレフィクスの信号波形の一例を示す図である。図１８（ａ）は、従来のＬＴＥにおけるサイクリックプレフィクスの信号波形の一例であり、図１８（ｂ）は、サイクリックプレフィクスを無送信にした場合の信号波形の一例である。例えば、図１７のＯＦＤＭシンボル＃３は、先頭にガード時間が付与されている。このガード時間にはサイクリックプレフィクスが含まれることになる。従って、図１７のＯＦＤＭシンボル＃３において、サイクリックプレフィクスを含むガード時間を、全て無送信にするようにしてもよい。
【０１２２】
なお、本実施の形態に係る無線通信システムにおいて、ガード時間の有無にかかわらず、サイクリックプレフィクスを無送信にするようにしてもよい。また、物理チャネルの種別に応じて、サイクリックプレフィクスを無送信にするのか否かを使い分けるようにしてもよい。例えば、データ送信用の物理チャネル（ＰＤＳＣＨ、ＰＵＳＣＨ等）では、マルチパスの影響を防ぐために従来のＬＴＥと同様に信号波形を含むサイクリックプレフィクスとし、チャネル品質測定に用いられる参照信号等の送信に用いられる物理チャネルでは、サイクリックプレフィクスを無送信にするようにしてもよい。
【０１２３】
例えば、ｍａｓｓｉｖｅ  ＭＩＭＯとよばれる要素技術では、基地局側に多数（例：１００素子）のアンテナを設置し、ビーム幅の狭い多数のビームを用いるビームフォーミングを行うことが検討されている。このようなビームフォーミングを行う基地局装置において、デジタル方式により各アンテナに乗算するウェイトを変化させることでビームフォーミングを行う方式と、アナログ方式により各アンテナに乗算するウェイトを変化させることでビームフォーミングを行う方式とが検討されている。
【０１２４】
アナログ方式によるビームフォーミングが行われる場合、電気的に位相を変化させるため、変化させるタイミングによっては帯域外放射が増加して干渉の原因になることが想定される。従って、基地局２０は、サイクリックプレフィクス区間を無送信状態にしておき、サイクリックプレフィクス区間の間に位相を変化させるようにすることで、干渉を抑止することができる。
【０１２５】
（ガード時間の動的制御）
本実施の形態に係る無線通信システムにおいてダイナミックＴＤＤ方式による通信を行う場合、基地局２０は、上りリンク及び下りリンクの比率を動的に制御することができる。すなわち、基地局２０は、各サブフレームを上りリンク信号に割り当てるのか又は下りリンク信号に割り当てるのかを決定し、決定したサブフレーム構成をユーザ装置１０に通知する。更に、基地局２０は、決定したサブフレーム構成に対し、どのようにガード時間を設定するのかを示す情報をユーザ装置１０に通知する。
【０１２６】
図１９Ａ及び図１９Ｂは、サブフレーム構成を動的に制御する方式を説明するための図である。まず、基地局２０は、複数の連続するサブフレームの構成を決定し、制御信号（ＥＰＤＣＣＨ（Enhanced Physical Data Control Channel）等）を通じて、決定したサブフレーム構成をユーザ装置１０に通知する。ユーザ装置１０は、通知されたサブフレーム構成を認識し、必要に応じて基地局２０と通信を行う。
【０１２７】
図１９Ａは、基地局２０により決定されたサブフレーム構成の一例である。基地局２０は、例えば図１９Ａに示すように、複数の連続するサブフレーム（＃１〜６）において、サブフレーム＃１、＃２、＃５を上りリンクに、サブフレーム＃３、＃４、＃６を下りリンクに割り当てると共に、サブフレーム＃２の最後、サブフレーム＃４の最後、及びサブフレーム＃６の前後にガード時間を設定するようにサブフレーム構成を決定する。また、基地局２０は、これらのサブフレーム構成に、図３〜図１７で説明したガード時間の設定方式のうち所定の設定方式を適用するようにしてもよい。また、複数の設定方式を使い分けるようにしてもよい。例えば、所定の連続するサブフレームには図３（ｂ）の設定方式を適用し、その後連続するサブフレームには図５（ｂ）の設定方式を適用するようにしてもよい。
【０１２８】
基地局２０は、下りリンクに割り当てたサブフレームで制御信号（ＥＰＤＣＣＨ等）を送信することで、決定したサブフレーム構成をユーザ装置１０に通知するようにする。
【０１２９】
図１９Ｂは、基地局２０からユーザ装置１０にサブフレーム構成を通知するためのサブフレーム構成通知信号の一例である。図１９Ｂに示すサブフレーム構成通知信号は、サブフレームが上りリンクに割り当てられているのか下りリンクに割り当てられているのかを示す「方向識別子」と、当該サブフレームにおけるガード時間の有無及びガード時間の設定方式を示す「ＧＰ種別識別子」とが繰り返し格納される。基地局２０は、サブフレーム構成通知信号を制御信号（ＥＰＤＣＣＨ等）に含めることで、ユーザ装置１０に連続するサブフレームのサブフレーム構成を通知する。
【０１３０】
例えば、図１９Ａに示すような連続する６つのサブフレーム構成をユーザ装置１０に通知する場合、基地局２０は、「方向識別子」及び「ＧＰ種別識別子」が６個繰り返されるサブフレーム構成通知信号をユーザ装置１０に送信する。
【０１３１】
「方向識別子」は、例えば１ビットで構成されるようにしてもよい。例えば、「０」が設定される場合は上りリンクが割り当てられていることを示し、「１」が設定される場合は下りリンクが割り当てられていることを示すようにしてもよい。
【０１３２】
「ＧＰ種別識別子」は例えば２ビットから構成される識別子であってもよい。「００」が設定されている場合は、ガード時間を含まないことを示し、「０１」、「１０」、「１１」に、それぞれ特定のガード時間の設定方式を割り当てるようにしてもよい。また、「ＧＰ種別識別子」の最初の１ビットを、ガード時間の有無を示す識別子として利用し、次の１ビットに、特定のガード時間の設定方式を割り当てるようにしてもよい。また、「ＧＰ種別識別子」を３ビット以上から構成するようにしてもよい。図３〜図１７で説明した様々なガード時間の設定方式を割り当てることが可能になる。
【０１３３】
なお、制御信号で通知されるサブフレーム構成通知信号において、どのサブフレーム以降のサブフレーム構成が通知されるのかを、基地局２０とユーザ装置１０との間で予め決定されているようにしてもよい。例えば、ユーザ装置１０は、サブフレーム構成通知信号を受信したサブフレームの次のサブフレームから、サブフレーム構成通知信号により通知されるサブフレーム構成が適用されると認識するようにしてもよい。また、図１９Ｂに示すサブフレーム構成通知信号を拡張し、サブフレーム構成通知信号に、サブフレームの開始位置を指定するビット列が含まれるようにしてもよい。
【０１３４】
なお、基地局２０は、トラフィック状況に応じて、定期的にサブフレーム構成通知信号をユーザ装置１０に通知するようにしてもよい。また、基地局２０は、サブフレーム構成を変更する場合にサブフレーム構成通知信号を送信するようにし、ユーザ装置１０は、サブフレーム構成通知信号を受信しない場合は、最後に受信したサブフレーム構成通知信号で通知されたサブフレーム構成が繰り返し適用されると認識するようにしてもよい。
【０１３５】
また、図１７で説明したように、本実施の形態に係る無線通信システムは、同一サブフレームの中で、ＯＦＤＭシンボル単位で上りリンク及び下りリンクを切替えるように動作するダイナミックＴＤＤ方式により通信を行うようにしてもよい。従って、基地局２０は、図１９Ｂに示すサブフレーム構成通知信号に代えて、「ＧＰ種別識別子」のみを含むサブフレーム構成通知信号を用いて、サブフレーム構成（例えば、図１７の例のようなサブフレーム構成）をユーザ装置１０に通知するようにしてもよい。
【０１３６】
また、基地局２０は、ＴＡ制御が適用されるサブフレームのサブフレーム構成と、ＴＡ制御が適用されないサブフレームのサブフレーム構成とを合わせてユーザ装置１０に通知するようにしてもよい。この場合、サブフレーム構成通知信号を拡張し、各サブフレームにＴＡ制御が適用されるのか、ＴＡ制御が適用されないのかを指定するビット列が含まれるようにしてもよい。
【０１３７】
また、サブフレーム構成通知信号は、ＭＡＣレイヤ又はＲＲＣ信号によりユーザ装置１０に通知されるようにしてもよい。
【０１３８】
なお、図１９Ｂに示すサブフレーム構成通知信号のフォーマットは一例であり、これに限られず、他のフォーマット構成が用いられるようにしてもよい。
【０１３９】
＜機能構成＞
（ユーザ装置）
図２０は、第一の実施の形態に係るユーザ装置の機能構成の一例を示す図である。図２０に示すように、ユーザ装置１０は、信号受信部１０１と、信号送信部１０２と、サブフレーム構成記憶部１０３とを有する。また、信号受信部１０１は、ガード時間判断部１１１を含む。また、信号送信部１０２は、ガード時間付与部１１２を含む。図２０は、ユーザ装置１０において本発明の実施の形態に特に関連する機能部のみを示すものであり、少なくともＬＴＥに準拠した動作を行うための図示しない機能も有するものである。また、図２０に示す機能構成は一例に過ぎない。本実施の形態に係る動作を実行できるのであれば、機能区分や機能部の名称はどのようなものでもよい。
【０１４０】
信号受信部１０１は、無線で受信する下位レイヤの信号から上位レイヤの情報を取得する。また、信号受信部１０１は、基地局２０からサブフレーム構成通知信号を受信し、サブフレーム構成記憶部１０３に格納する。
【０１４１】
信号送信部１０２は、上位レイヤの情報から下位レイヤの信号を生成し、無線で送信する。また、信号送信部１０２は、ガード時間付与部１１２にて設定（付与）されたガード時間にサイクリックプレフィクスが含まれる場合、サイクリックプレフィクスを無送信状態にするように制御するようにしてもよい。なお、信号送信部１０２は、物理チャネルの種別に応じて、サイクリックプレフィクスを無送信にするのか否かを使い分けるようにしてもよい。また、信号送信部１０２は、同一バンド幅の中で、ＴＡ制御を行う帯域とＴＡ制御を行わない帯域とを分けて通信を行うようにしてもよい。
【０１４２】
サブフレーム構成記憶部１０３は、基地局２０から通知されるサブフレーム構成通知信号に含まれるサブフレーム構成を記憶する。サブフレーム構成記憶部１０３は、サブフレーム構成通知信号に含まれる各種識別子からサブフレームごとのサブフレーム構成を認識してメモリに格納する。
【０１４３】
ガード時間判断部１１１は、サブフレーム構成記憶部１０３に記憶されているサブフレーム構成に基づいて、信号受信部１０１で受信された下りサブフレームに含まれるガード時間の位置を判断（認識）し、信号受信部１０１が無線信号を復調する際に、正しく無線信号を復調できるように信号受信部１０１を制御する。また、ガード時間判断部１１１は、ＯＦＤＭシンボル単位にガード時間を判断（認識）し、信号受信部１０１が無線信号を復調する際に、正しく無線信号を復調できるように信号受信部１０１を制御するようにしてもよい。また、ガード時間判断部１１１は、同一ＯＦＤＭシンボル内に設定されているガード時間の位置を判断（認識）し、信号受信部１０１が正しく無線信号を復調できるように信号受信部１０１を制御するようにしてもよい。
【０１４４】
ガード時間付与部１１２は、サブフレーム構成記憶部１０３に記憶されているサブフレーム構成に基づいて、上りサブフレームにガード時間を設定（付与）する。また、ガード時間付与部１１２は、ＯＦＤＭシンボル単位にガード時間を設定（付与）するようにしてもよい。また、ガード時間付与部１１２は、同一ＯＦＤＭシンボル内にガード時間を設定（付与）するようにしてもよい。
【０１４５】
（基地局）
図２１は、第一の実施の形態に係る基地局の機能構成の一例を示す図である。図２１に示すように、基地局２０は、信号受信部２０１と、信号送信部２０２と、サブフレーム構成決定部２０３と、構成通知信号生成部２０４とを有する。また、信号受信部２０１は、ガード時間判断部２１１を含む。また、信号送信部２０２は、ガード時間付与部２１２を含む。図２１は、基地局２０において本発明の実施の形態に特に関連する機能部のみを示すものであり、少なくともＬＴＥに準拠した動作を行うための図示しない機能も有するものである。また、図２１に示す機能構成は一例に過ぎない。本実施の形態に係る動作を実行できるのであれば、機能区分や機能部の名称はどのようなものでもよい。
【０１４６】
信号受信部２０１は、無線で受信する下位レイヤの信号から上位レイヤの情報を取得する。
【０１４７】
信号送信部２０２は、上位レイヤの情報から下位レイヤの信号を生成し、無線で送信する。また、信号送信部２０２は、ガード時間付与部２１２にて設定（付与）されたガード時間にサイクリックプレフィクスが含まれる場合、サイクリックプレフィクスを無送信状態にするように制御するようにしてもよい。なお、信号送信部２０２は、物理チャネルの種別に応じて、サイクリックプレフィクスを無送信にするのか否かを使い分けるようにしてもよい。また、信号送信部２０２は、構成通知信号生成部２０４により生成されたサブフレーム構成通知信号をユーザ装置１０に送信する。信号送信部２０２は、物理チャネル（ＰＤＣＣＨ、ＥＰＤＣＣＨ等）によりサブフレーム構成通知信号をユーザ装置１０に送信してもよいし、ＭＡＣ、ＲＲＣの制御信号によりサブフレーム構成通知信号をユーザ装置１０に送信してもよい。
【０１４８】
サブフレーム構成決定部２０３は、トラフィック状況等に応じて、上りサブフレームと下りサブフレームの構成比率と、各サブフレームのガード時間の設定方式を決定する。また、サブフレーム構成決定部２０３は、決定したサブフレーム構成をメモリに記憶しておく。サブフレーム構成決定部２０３は、定期的にサブフレーム構成を決定するようにしてもよいし、トラフィック変動を検出し、トラフィック変動が所定の閾値を超えた場合にサブフレーム構成を決定（変更）するようにしてもよい。
【０１４９】
構成通知信号生成部２０４は、サブフレーム構成決定部２０３で決定されたサブフレーム構成に基づいて、ユーザ装置１０に通知するサブフレーム構成通知信号を生成する。構成通知信号生成部２０４は、生成したサブフレーム構成通知信号を信号送信部２０２に送信する。
【０１５０】
ガード時間判断部２１１は、サブフレーム構成決定部２０３に記憶されているサブフレーム構成に基づいて、信号受信部２０１で受信された下りサブフレームに含まれるガード時間の位置を判断（認識）し、信号受信部２０１が無線信号を復調する際に、正しく無線信号を復調できるように信号受信部２０１を制御する。また、ガード時間判断部２１１は、ＯＦＤＭシンボル単位にガード時間を判断（認識）し、信号受信部２０１が無線信号を復調する際に、正しく無線信号を復調できるように信号受信部２０１を制御するようにしてもよい。また、ガード時間判断部２１１は、同一ＯＦＤＭシンボル内に設定されているガード時間の位置を判断（認識）し、信号受信部２０１が正しく無線信号を復調できるように信号受信部２０１を制御するようにしてもよい。
【０１５１】
ガード時間付与部２１２は、サブフレーム構成決定部２０３に記憶されているサブフレーム構成に基づいて、上りサブフレームにガード時間を設定（付与）する。また、ガード時間付与部２１２は、ＯＦＤＭシンボル単位にガード時間を設定（付与）するようにしてもよい。また、ガード時間付与部２１２は、同一ＯＦＤＭシンボル内にガード時間を設定（付与）するようにしてもよい。
【０１５２】
以上、第一の実施の形態について説明した。第一の実施の形態における無線通信システムによれば、ダイナミックＴＤＤによる通信が行われる場合に、トラフィック状況に応じた適切な上りリンク／下りリンクの構成比率により効率的に通信を行うことが可能になる。
【０１５３】
[第二の実施の形態]
次に、第二の実施の形態について図面に基づいて説明する。なお、第一の実施の形態と同一構成部分についての説明は省略する。また、特に言及しない点については、第一の実施の形態と同様でよい。
【０１５４】
＜概要＞
第二の実施の形態に係る無線通信システムは、同一バンド幅において、基地局２０が上りリンク信号と下りリンク信号とを同時に送受信可能とするフルデュプレックスによる通信方式が用いられることを前提としている。
【０１５５】
従来のＦＤＤ（Frequency Division Duplex）方式によるＬＴＥは、上りリンクと下りリンクとを異なるバンドの周波数領域で多重する通信方式である。また、ＴＤＤ方式によるＬＴＥは、上りリンクと下りリンクを同一周波数において時間軸領域で多重する通信方式である。ここで、フルデュプレックスによる通信方式とは、上りリンクと下りリンクとを周波数領域及び時間軸領域の双方で多重する通信方式をいう。フルデュプレックスによる通信方式によれば、基地局２０は、同一周波数及び同一時間にて下りリンク信号の送信と上りリンク信号の受信を同時に行うことになる。基地局２０は、受信した上りリンク信号を自身が送信した下りリンク信号でキャンセルすることで、受信された上りリンク信号を取り出す。すなわち、基地局２０は、自身が送信した下りリンク信号を逆位相に位相変換した信号と受信した上りリンク信号とを乗算することで、ユーザ装置１０から送信された上りリンク信号を取り出すことができる。
【０１５６】
更に、本実施の形態における無線通信システムでは、制御信号の送受信とユーザデータの送受信に用いられる物理チャネルを周波数領域で分離すると共に、上り制御信号及び下り制御信号については、周波数領域で分離するようにする。また、必要に応じて、上り制御信号が格納されるリソースブロックと下り制御信号が格納されるリソースブロックとの間に、信号が含まれないサブキャリア（以降、「ガードサブキャリア」又は「ＧＣ：Guard sub Carrier」という）を設ける。これにより、本実施の形態における無線通信システムは、ドップラー効果による周波数シフト等による影響を排除し、制御信号の受信品質を確保することができる。
【０１５７】
図２２は、第二の実施の形態に係るフルデュプレックスによる通信方式を説明するための図である。図２２の例は、基地局２０から見た場合のリソースブロック構成を示している。図２２において、「ＤＬ−Ｔｘ」は下り制御信号が格納されるリソースブロックを示し、「ＵＬ−Ｒｘ」は、上り制御信号が格納されるリソースブロックを示している。また、「ＤＬ−Ｔｘ」が格納されるリソースブロックと「ＵＬ−Ｒｘ」が格納されるリソースブロックとの間にはガードサブキャリアが設けられている。ガードサブキャリアは、各リソースブロックの間に設けられるようにしてもよいし、リソースブロックの中の一部のサブキャリアがガードサブキャリアに該当するようにしてもよい。
【０１５８】
なお、図２２の例では、同一サブフレームにおいて、「ＤＬ−Ｔｘ」が格納されるリソースブロックと「ＵＬ−Ｒｘ」が格納されるリソースブロックとがそれぞれ１つずつ図示されているが、「ＤＬ−Ｔｘ」が格納されるリソースブロックが複数含まれる構成にすることもできる。同様に、同一サブフレームにおいて、「ＵＬ−Ｒｘ」が格納されるリソースブロックが複数含まれる構成にすることもできる。また、必ずしもガードサブキャリアが設けられる必要はなく、物理チャネルの特性等に応じて決定されるようにしてもよい。
【０１５９】
なお、本実施の形態では、ユーザ装置１０は、ハーフデュプレックス、すなわちＴＤＤ方式で制御信号を送受信するようにしてもよいし、基地局２０と同様に、フルデュプレックス方式で上り／下り制御信号を同時に送受信するようにしてもよい。
【０１６０】
なお、図２２の例では、サブフレーム内の２つのリソースブロックが同一の構成を有するように図示されているが、これに限られない。例えば、スロット単位でリソースブロックの構成を変化させるようにしてもよい。また、ガードサブキャリアは、１サブキャリアに限られず、複数の連続したサブキャリアをまとめてガードサブキャリアとしてもよい。
【０１６１】
＜処理方式＞
（リソースブロック構成の動的制御）
以下、リソースブロック構成を動的に制御するための処理手順について説明する。本実施の形態における無線通信システムにおいて、同一サブフレーム内のリソースブロック構成は、基地局２０により決定され、リソースブロック構成を示す信号（以下、「リソースブロック構成通知信号」という）を用いてユーザ装置１０に通知される。なお、基地局２０は、ユーザ装置１０との間で送受信される各種制御信号（ＰＤＣＣＨ、ＥＰＤＣＣＨ、ＰＵＣＣＨ、ＥＰＵＣＣＨ、ＣＳＩ−ＲＳ、ＳＲＳ等）の種別及び信号量などに応じて、適宜リソースブロック構成を変更するようにしてもよい。ユーザ装置１０は、受信したリソースブロック構成通知信号に基づいて、上り／下り制御信号が格納される所定のリソースブロックにおけるリソースブロック構成を認識する。
【０１６２】
図２３は、フルデュプレックスによる通信方式におけるリソースブロック構成の一例を示す図である。図２３の例では、リソースブロック＃１は、下り制御信号に割り当てられたリソースブロックであり、上下にガードサブキャリアを含む構成である。リソースブロック＃２は、上り制御信号に割り当てられたリソースブロックであり、ガードサブキャリアを含まない構成である。リソースブロック＃３は、下り制御信号に割り当てられたリソースブロックであり、上部にガードサブキャリアを含む構成である。リソースブロック＃４は、下り制御信号に割り当てられたリソースブロックであり、ガードサブキャリアを含まない構成である。リソースブロック＃５は、上り制御信号に割り当てられたリソースブロックであり、上部にガードサブキャリアを含む構成である。リソースブロック＃６は、リソースブロック＃２と同様の構成である。図２３に示すように、本実施の形態においては、さまざまなリソースブロック構成を用いることができる。なお、図２３はあくまで一例であり、基地局２０は、図２３とは異なるリソースブロック構成とするように決定してもよい。
【０１６３】
図２４は、リソースブロック構成通知信号の信号フォーマットの一例を示す図である。図２４に示すリソースブロック構成通知信号には、リソースブロックが下り制御信号に割り当てられたリソースブロックなのか上り制御信号に割り当てられたリソースブロックなのかを識別する「ＲＢ種別識別子」と、当該リソースブロックにおけるガードサブキャリアの有無を示す「ＧＣ有無識別子」と、当該ガードサブキャリアがリソースブロックのどの位置に付与されているのかを示す「ＧＣ種別識別子」とが繰り返し格納されている。例えば、図２３に示すように、６個のリースブロック構成がユーザ装置１０に通知される場合、リソースブロック構成通知信号には「ＲＢ種別識別子」と「ＧＣ有無識別子」と「ＧＣ種別識別子」とが６回繰り返されて格納されることになる。
【０１６４】
「ＲＢ種別識別子」は、例えば１ビットで構成されるようにしてもよい。例えば、「０」が設定される場合は上り制御信号が割り当てられていることを示し、「１」が設定される場合は下り制御信号が割り当てられていることを示すようにしてもよい。
【０１６５】
「ＧＣ有無識別子」は、例えば１ビットで構成されるようにしてもよい。例えば、「０」が設定される場合はガードサブキャリアが含まれないことを示し、「１」が設定される場合はガードサブキャリアが含まれていることを示すようにしてもよい。
【０１６６】
「ＧＣ種別識別子」は、例えば２ビットで構成されるようにしてもよい。例えば、「００」が設定される場合は上部にガードサブキャリアが含まれていることを示し、「０１」が設定される場合は下部にガードサブキャリアが含まれていることを示し、「１０」が設定される場合は上下にガードサブキャリアが含まれていることを示すようにしてもよい。
【０１６７】
なお、「ＧＣ種別識別子」は、例えば１ビットで構成されるようにしてもよい。識別可能なガードサブキャリアの位置は２種類に限定されるが、信号量を削減することができる。
【０１６８】
なお、基地局２０は、リソースブロック構成通知信号を、ＥＰＤＣＣＨのようにユーザ装置１０ごとに個別に設定される物理制御チャネルを用いてユーザ装置１０に送信するようにしてもよいし、ＰＤＣＣＨのようにユーザ装置１０が共通的に参照可能な物理制御チャネルを用いてユーザ装置１０に送信するようにしてもよい。
【０１６９】
また、基地局２０は、ユーザ装置１０ごとに必要な（当該ユーザ装置１０が使用する）リソースブロック構成のみを切り出し、ユーザ装置１０ごとに個別に設定される物理制御チャネル（ＥＰＤＣＣＨ等）を用いてユーザ装置１０に通知するようにしてもよい。本実施の形態では、ユーザ装置１０がＴＤＤ方式で制御信号を送受信する場合、ユーザ装置１０から見るとサブフレームごとに上りリンクと下りリンクとが切り替わることになるためである。
【０１７０】
また、リソースブロック構成通知信号には、リソースブロックの位置を示す識別子（以下、「ＲＢ位置識別子」という）を含めるようにしてもよい。例えば、リソースブロック構成通知信号に、「ＲＢ位置識別子」と「ＲＢ種別識別子」と「ＧＣ有無識別子」と「ＧＣ種別識別子」とが繰り返し格納されるようにしてもよい。これにより、任意の位置のリソースブロック構成をユーザ装置１０に通知することができる。
【０１７１】
また、リソースブロック構成通知信号には、複数の連続するサブフレームにおけるリソースブロック構成を繰り返し含めるようにしてもよい。基地局２０は、複数の連続するサブフレームにおけるリソースブロック構成をまとめてユーザ装置１０に通知することができ、通知回数を削減することが可能になる。
【０１７２】
また、基地局２０は、定期的にリソースブロック構成通知信号をユーザ装置１０に送信するようにしてもよいし、必要なタイミングでリソースブロック構成通知信号をユーザ装置１０に送信するようにしてもよい。
【０１７３】
（制御信号の構成）
次に、リソースブロック構成通知信号が送信される制御信号（物理チャネル等）の構成について説明する。
【０１７４】
リソースブロック構成通知信号が送信される制御信号のリソースブロックにおいて、当該リソースブロックの一部に、第一の実施の形態で説明したようにガード時間が設定される可能性がある。また、本実施の形態のように、当該リソースブロックの一部にガードサブキャリアが設定される可能性がある。
【０１７５】
図２５は、リソースブロック構成通知信号が送信される制御信号の構成を説明するための図である。例えば、図２５（ａ１）のリソースブロック＃１は、ガード時間及びガードサブキャリアが含まれていない制御信号のリソースブロックの一例である。図２５（ａ１）のリソースブロック＃２は、サブフレームの後ろ（上りサブフレーム＃３の直前）にガード時間を有する制御信号のリソースブロックの一例である。図２５（ａ２）のリソースブロック＃１は、上面にガードサブキャリアを有する制御信号のリソースブロックの一例である。図２５（ａ２）のリソースブロック＃２は、上面にガードサブキャリアを有すると共に、サブフレームの後ろ（上りサブフレーム＃３の直前）にガード時間を有する制御信号のリソースブロックの一例である。
【０１７６】
ユーザ装置１０は、リソースブロック構成通知信号が送信される制御信号からリソースブロック構成通知信号を取得する際、当該制御信号を正しく復調するために、予め当該制御信号のリソースブロックの構成を把握しておく必要がある。
【０１７７】
１点目の方法として、ユーザ装置１０は、ユーザ装置１０と基地局２０との間で、当該制御信号のリソースブロックの構成として予め規定されている全ての構成に対して復号を試みる方法が考えられる。例えば、当該制御信号が図２５（ａ１）のリソースブロック＃１、＃２、及び図２５（ａ２）のリソースブロック＃１、＃２のいずれかの構成をとり得ることがユーザ装置１０と基地局２０との間で予め規定されている場合、ユーザ装置１０は、全ての構成について復号を試みる。
【０１７８】
すなわち、ユーザ装置１０は、復号時にＣＲＣ（Cyclic Redundancy Check）が一致しない場合、順次別の構成で復号を試みるようにして、ＣＲＣが一致する場合は正しいリソースブロック構成であると認識するようにする。
【０１７９】
２点目の方法として、リソースブロック構成通知信号が送信される制御信号のリソースブロック構成を、ユーザ装置１０と基地局２０との間で固定的に規定しておく方法が考えられる。
【０１８０】
３点目の方法として、基地局２０は、リソースブロック構成通知信号が送信される制御信号のリソースブロックの先頭に、当該リソースブロックの構成を示す識別信号を格納しておき、ユーザ装置１０は、最初に当該識別信号を参照することで、当該制御信号のリソースブロック構成を把握するようにすることが考えられる。識別信号には、例えば、リソースブロック構成通知信号が送信される制御信号のリソースブロックにガードサブキャリア又はガード時間が含まれるのかを示す情報、又は、ガードサブキャリア又はガード時間が含まれる場合、どのような位置にガードサブキャリア又はガード時間が含まれるのかを示す情報が含まれるようにする。
【０１８１】
図２５（ｂ）は、当該識別信号の格納位置の一例を示している。どのようなリソースブロック構成であっても識別信号の参照を可能にするため、例えば、ガードサブキャリアが設定されない領域に識別信号を格納するようにしてもよいし、リソースブロックの先頭の１以上のＯＦＤＭシンボルにマッピングされるようにしてもよい。図２５（ｂ）は一例であり、識別信号は他の場所に格納されるようにしてもよい。また、識別信号は、ＰＤＣＣＨで通知されるＤＣＩ（Downlink Control Information）にマッピングされるようにしてもよいし、システム情報、ＭＡＣ信号、又はＲＲＣ信号によりユーザ装置１０に通知されるようにしてもよい。
【０１８２】
以上、リソースブロック構成通知信号が送信される制御信号の構成について説明したが、当該制御信号は、例えばＥＰＤＣＣＨであってもよいし、ＥＰＤＣＣＨに類似したフレーム構成の物理チャネルであってもよい。ＥＰＤＣＣＨに類似したフレーム構成とは、例えば所定のサブフレーム内において、ＰＤＣＣＨが格納される領域（先頭の１〜３ＯＦＤＭシンボル）を除き、リソースブロック全体に信号が格納されているようなフレーム構成である。また、当該制御信号は、ＥＰＤＣＣＨに限られず、他の物理チャネルであってもよい。
【０１８３】
＜機能構成＞
（ユーザ装置）
図２６は、第二の実施の形態に係るユーザ装置の機能構成の一例を示す図である。図２６に示すように、ユーザ装置１０は、信号受信部３０１と、信号送信部３０２と、リソースブロック構成記憶部３０３とを有する。また、信号受信部３０１は、ガード区間判断部３１１を含む。また、信号送信部３０２は、ガード区間付与部３１２を含む。
【０１８４】
信号受信部３０１は、無線で受信する下位レイヤの信号から上位レイヤの情報を取得する。また、信号受信部３０１は、基地局２０からリソースブロック構成通知信号を受信し、リソースブロック構成記憶部３０３に格納する。また、信号受信部３０１は、リソースブロック構成通知信号が送信される（マッピングされる）制御信号を復調する際、当該制御信号の信号形式（リソースブロックの構成）を示す識別信号に基づいて、当該制御信号を復調する。なお、信号受信部３０１は、当該制御信号に対応する複数の信号形式（リソースブロックの構成）を予め記憶しておき、全ての信号形式で復調を試みることで、当該制御信号を復調してリソースブロック構成通知信号を取得するようにしてもよい。
【０１８５】
信号送信部３０２は、上位レイヤの情報から下位レイヤの信号を生成し、無線で送信する。
【０１８６】
リソースブロック構成記憶部３０３は、基地局２０から通知されるリソースブロック構成通知信号に含まれるリソースブロック構成を記憶する。リソースブロック構成記憶部３０３は、リソースブロック構成通知信号に含まれる各種識別子からリソースブロックごとのリソースブロック構成を認識してメモリに格納する。
【０１８７】
ガード区間判断部３１１は、リソースブロック構成記憶部３０３に記憶されているリソースブロック構成に基づいて、信号受信部３０１で受信された下り制御信号が含まれる（マッピングされる）リソースブロックに設定されているガードサブキャリアの位置を判断（認識）し、信号受信部３０１が無線信号を復調する際に、正しく無線信号を復調できるように信号受信部３０１を制御する。
【０１８８】
ガード区間付与部３１２は、リソースブロック構成記憶部３０３に記憶されているリソースブロック構成に基づいて、上り制御信号が含まれる（マッピングされる）リソースブロックにガードサブキャリアを設定（付与）する。
【０１８９】
（基地局）
図２７は、第二の実施の形態に係る基地局の機能構成の一例を示す図である。図２７に示すように、基地局２０は、信号受信部４０１と、信号送信部４０２と、リソースブロック構成決定部４０３と、構成通知信号生成部４０４とを有する。また、信号受信部４０１は、ガード区間判断部４１１を含む。また、信号送信部４０２は、ガード区間付与部４１２を含む。
【０１９０】
信号受信部４０１は、無線で受信する下位レイヤの信号から上位レイヤの情報を取得する。
【０１９１】
信号送信部４０２は、上位レイヤの情報から下位レイヤの信号を生成し、無線で送信する。また、信号送信部４０２は、構成通知信号生成部４０４により生成されたリソースブロック構成通知信号をユーザ装置１０に送信する。信号送信部４０２は、物理チャネル（ＰＤＣＣＨ、ＥＰＤＣＣＨ等）によりリソースブロック構成通知信号をユーザ装置１０に送信してもよいし、ＭＡＣ、ＲＲＣの制御信号によりリソースブロック構成通知信号をユーザ装置１０に送信してもよい。
【０１９２】
リソースブロック構成決定部４０３は、例えば、ユーザ装置１０との間で送受信される各種制御信号（ＰＤＣＣＨ、ＥＰＤＣＣＨ、ＰＵＣＣＨ、ＥＰＵＣＣＨ、ＣＳＩ−ＲＳ、ＳＲＳ等）の種別及び信号量などに応じて、上り制御信号が含まれる（マッピングされる）リソースブロック及び下り制御信号が含まれる（マッピングされる）リソースブロックのリソースブロック構成を決定する。また、リソースブロック構成決定部４０３は、決定したリソースブロック構成をメモリに記憶しておく。リソースブロック構成決定部４０３は、定期的にリソースブロック構成を決定するようにしてもよいし、ユーザ装置１０との間で送受信される各種制御信号の信号量の変動を検出し、信号量の変動が所定の閾値を超えた場合にリソースブロック構成を決定（変更）するようにしてもよい。
【０１９３】
構成通知信号生成部４０４は、リソースブロック構成決定部４０３で決定されたリソースブロック構成に基づいて、ユーザ装置１０に通知するリソースブロック構成通知信号を生成する。構成通知信号生成部４０４は、生成したリソースブロック構成通知信号を信号送信部４０２に送信する。
【０１９４】
ガード区間判断部４１１は、リソースブロック構成決定部４０３に記憶されているリソースブロック構成に基づいて、信号受信部３０１で受信された上り制御信号が含まれる（マッピングされる）リソースブロックに設定されているガードサブキャリアの位置を判断（認識）し、信号受信部４０１が無線信号を復調する際に、正しく無線信号を復調できるように信号受信部２０１を制御する。
【０１９５】
ガード区間付与部４１２は、リソースブロック構成決定部４０３に記憶されているガードサブキャリア構成に基づいて、下り制御信号が含まれる（マッピングされる）リソースブロックにガードサブキャリアを設定（付与）する。
【０１９６】
以上、第二の実施の形態について説明した。第二の実施の形態に係る無線通信システムによれば、フルデュプレックス方式による通信方式において、上り制御信号に割り当てられるリソースブロックと下り制御信号に割り当てられるリソースブロックとの構成比率を、各種制御信号の種別及び信号量などに応じて効率的に変更することが可能になる。また、これにより、上り／下り制御信号に割り当てられるリソースブロックにガードサブキャリアを設けることが可能になり、本実施の形態における無線通信システムは、ドップラー効果による周波数シフト等による影響を排除し、制御信号の受信品質を確保することができる。
【０１９７】
＜ハードウェア構成＞
以上、第一の実施の形態及び第二の実施の形態で説明したユーザ装置１０及び基地局２０の機能構成は、全体をハードウェア回路（例えば、１つ又は複数のＩＣチップ）で実現してもよいし、一部をハードウェア回路で構成し、その他の部分をＣＰＵとプログラムとで実現してもよい。
【０１９８】
（ユーザ装置）
図２８は、実施の形態に係るユーザ装置のハードウェア構成の一例を示す図である。図２８は、図２０及び図２６よりも実装例に近い構成を示している。図２８に示すように、ユーザ装置１０は、無線信号に関する処理を行うＲＦ（Radio Frequency）モジュール５０１と、ベースバンド信号処理を行うＢＢ（Base Band）処理モジュール５０２と、上位レイヤ等の処理を行うＵＥ制御モジュール５０３とを有する。
【０１９９】
ＲＦモジュール５０１は、ＢＢ処理モジュール５０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール５０２に渡す。ＲＦモジュール５０１は、例えば、図２０に示す信号受信部１０１の一部、信号送信部１０２の一部、図２６に示す信号受信部３０１の一部、信号送信部３０２の一部、を含む。
【０２００】
ＢＢ処理モジュール５０２は、ＩＰパケットとデジタルベースバンド信号とを相互に変換する処理を行う。ＤＳＰ（Digital Signal Processor）５１２は、ＢＢ処理モジュール５０２における信号処理を行うプロセッサである。メモリ５２２は、ＤＳＰ５１２のワークエリアとして使用される。ＢＢ処理モジュール５０２は、例えば、図２０に示す信号受信部１０１の一部、信号送信部１０２の一部、サブフレーム構成記憶部１０３、図２６に示す信号受信部３０１の一部、信号送信部３０２の一部、リソースブロック構成記憶部３０３を含む。
【０２０１】
ＵＥ制御モジュール５０３は、ＩＰレイヤのプロトコル処理、各種アプリケーションの処理等を行う。プロセッサ５１３は、ＵＥ制御モジュール５０３が行う処理を行うプロセッサである。メモリ５２３は、プロセッサ５１３のワークエリアとして使用される。
【０２０２】
（基地局）
図２９は、実施の形態に係る基地局のハードウェア構成の一例を示す図である。図２９は、図２１及び図２７よりも実装例に近い構成を示している。図２９に示すように、基地局２０は、無線信号に関する処理を行うＲＦモジュール６０１と、ベースバンド信号処理を行うＢＢ処理モジュール６０２と、上位レイヤ等の処理を行う装置制御モジュール６０３と、ネットワークと接続するためのインターフェースである通信ＩＦ６０４とを有する。
【０２０３】
ＲＦモジュール６０１は、ＢＢ処理モジュール６０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール６０２に渡す。ＲＦモジュール６０１は、例えば、図２１に示す信号受信部２０１の一部、信号送信部２０２の一部、図２７に示す信号受信部４０１の一部、信号送信部４０２の一部、を含む。
【０２０４】
ＢＢ処理モジュール６０２は、ＩＰパケットとデジタルベースバンド信号とを相互に変換する処理を行う。ＤＳＰ６１２は、ＢＢ処理モジュール６０２における信号処理を行うプロセッサである。メモリ６２２は、ＤＳＰ６１２のワークエリアとして使用される。ＢＢ処理モジュール６０２は、例えば、図２１に示す信号受信部２０１の一部、信号送信部２０２の一部、サブフレーム構成決定部２０３の一部、構成通知信号生成部２０４の一部、図２７に示す信号受信部４０１の一部、信号送信部４０２の一部、リソースブロック構成決定部４０３の一部、構成通知信号生成部４０４の一部を含む。
【０２０５】
装置制御モジュール６０３は、ＩＰレイヤのプロトコル処理、ＯＡＭ（Operation and Maintenance）処理等を行う。プロセッサ６１３は、装置制御モジュール６０３が行う処理を行うプロセッサである。メモリ６２３は、プロセッサ６１３のワークエリアとして使用される。補助記憶装置６３３は、例えばＨＤＤ等であり、基地局２０自身が動作するための各種設定情報等が格納される。装置制御モジュール６０３は、例えば、図２１に示すサブフレーム構成決定部２０３の一部、構成通知信号生成部２０４の一部、図２７に示すリソースブロック構成決定部４０３の一部、構成通知信号生成部４０４の一部を含む。
【０２０６】
＜効果＞
以上、説明したように、本実施の形態では、ＴＤＤ方式による通信をサポートする無線通信システムにおいて、基地局と通信を行うユーザ装置であって、前記基地局から通知されるサブフレームごとの構造を示す通知信号に基づいて、上りリンク信号にガード時間を設定して送信する送信手段と、前記基地局から下りリンク信号を受信する受信手段と、
前記受信手段により受信された下りリンク信号に設定されているガード時間の位置を、前記通知信号に基づいて識別する識別手段と、を有するユーザ装置が提供される。
【０２０７】
このユーザ装置１０により、ガード時間を動的に制御する技術を提供することが可能になる。
【０２０８】
また、前記通知信号は、所定のサブフレームが上りリンク信号に割り当てられるサブフレームなのか、下りリンク信号に割り当てられるサブフレームなのかと、ガード時間の有無と、ガード時間の位置とを示す信号であってもよい。また、前記通知信号は、所定のサブフレーム内において、上りリンク信号に割り当てられる区間と、下りリンク信号に割り当てられる区間と、ガード時間の位置とを示す信号であってもよい。これにより、基地局２０は、様々な形態のサブフレーム構成及びガード時間の設定をユーザ装置１０に通知することができる。これにより、本実施の形態に係る無線通信システムは、通信効率の向上等を図ることができる。
【０２０９】
また、前記所定のサブフレーム内におけるガード時間はサイクリックプレフィクスを含み、前記送信手段は、ガード時間に含まれるサイクリックプレフィクスを無送信状態にするようにしてもよい。これにより、ユーザ装置は、例えば制御チャネルの種類に応じて、様々な通信方法を実現することができる。
【０２１０】
また、本実施の形態では、ＴＤＤ方式による通信をサポートする無線通信システムにおいて、ユーザ装置と通信を行う基地局であって、サブフレームごとの構造を示す通知信号を生成する生成手段と、前記ユーザ装置に前記通知信号を送信することで前記サブフレームごとの構造を通知する通知手段と、前記通知信号に基づいて、下りリンク信号にガード時間を設定して送信する送信手段と、前記ユーザ装置から上りリンク信号を受信する受信手段と、前記受信手段により受信された上りリンク信号に設定されているガード時間の位置を、前記サブフレームごとの構造に基づいて識別する識別手段と、を有する基地局が提供される。
【０２１１】
この基地局２０により、ガード時間を動的に制御する技術を提供することが可能になる。
【０２１２】
また、本実施の形態では、フルデュプレックス方式による通信をサポートする無線通信システムにおいて、基地局と通信を行うユーザ装置であって、前記基地局から通知される、所定のサブフレームにおけるリソースブロックごとの構造を示す通知信号を受信する受信手段と、前記通知信号に基づいて、各リソースブロックが上り制御信号に割り当てられるリソースブロックなのか又は下り制御信号に割り当てられるリソースブロックなのかを識別し、各リソースブロックに含まれるガードサブキャリアの位置を識別する識別手段と、を有し、前記受信手段は、前記識別手段により識別された下り制御信号に割り当てられるリソースブロックのうち、ガードサブキャリア以外のサブキャリアに含まれるデータを受信する、ユーザ装置が提供される。
【０２１３】
このユーザ装置１０により、ガードサブキャリアを設定可能とする技術を提供することが可能になる。
【０２１４】
また、前記受信手段は、前記通知信号がマッピングされるリソースブロックにガードサブキャリアが含まれるのか、又は、当該通知信号がマッピングされるリソースブロックにガード時間が含まれるのかを示す識別信号に基づいて復調処理を行うことで前記通知信号を受信するようにしてもよい。また、前記識別信号は、前記通知信号がマッピングされるリソースブロックの先頭の１以上のＯＦＤＭシンボルにマッピングされるようにしてもよい。これにより、ユーザ装置１０は、リソースブロックの構成を示すリソースブロック構成通知信号を効率的に受信（取得）することが可能になる。
【０２１５】
また、前記受信手段は、前記通知信号がマッピングされるリソースブロックに対応する複数の信号形式を予め記憶し、前記通知信号がマッピングされるリソースブロックを前記複数の信号形式の各々で復調処理を行うことで前記通知信号を受信するようにしてもよい。これにより、本実施の形態に係る無線通信システムにおいて、基地局２０からユーザ装置１０に送信される信号量を削減することが可能になる。
【０２１６】
また、本実施の形態では、フルデュプレックス方式による通信をサポートする無線通信システムにおいて、ユーザ装置と通信を行う基地局であって、所定のサブフレームにおけるリソースブロックごとの構造を示す通知信号を生成する生成手段と、前記ユーザ装置に前記通知信号を送信する第一の送信手段と、前記リソースブロックごとの構造に基づいて、下り制御信号に割り当てられるリソースブロックにガードサブキャリアを設定してデータを送信する第二の送信手段と、を有する基地局が提供される。
【０２１７】
この基地局２０により、ガードサブキャリアを設定可能とする技術を提供することが可能になる。
【０２１８】
また、上記の各装置の構成における「手段」を、「部」、「回路」、「デバイス」等に置き換えてもよい。
【０２１９】
＜実施形態の補足＞
以上、第一の実施の形態と第二の実施の形態とを説明したが、これらの実施の形態を組み合わせた無線通信システムを提供するようにしてもよい。例えば、第二の実施の形態に係る無線通信システムにおいて、複数の連続したサブフレームにおけるリソースブロック構成が決定されるようにすると共に、サブフレームごとに上りリンク及び下りリンクが動的に変更されるようにしてもよい。また、この場合、各サブフレームにおいて、ガード時間（ガード時間）の位置が切替えられるようにしてもよい。
【０２２０】
以上、各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０２２１】
なお、各実施の形態において、サブフレーム構成通知信号又はリソースブロック構成通知信号は、通知信号の一例である。また、信号送信部１０２、２０２、３０２、４０２は、送信手段の一例である。また、信号受信部１０１、２０１、３０１、４０１は受信手段の一例である。また、ガード時間判断部１１１、２１１、ガード区間判断部３１１、４１１は、識別手段の一例である。
【０２２２】
本特許出願は２０１５年３月２０日に出願した日本国特許出願第２０１５−０５８１７２号に基づきその優先権を主張するものであり、日本国特許出願第２０１５−０５８１７２号の全内容を本願に援用する。
【符号の説明】
【０２２３】
１０  ユーザ装置
２０  基地局
１０１  信号受信部
１０２  信号送信部
１０３  サブフレーム構成記憶部
１１１  ガード時間判断部
１１２  ガード時間付与部
２０１  信号受信部
２０２  信号送信部
２０３  サブフレーム構成決定部
２０４  構成通知信号生成部
２１１  ガード時間判断部
２１２  ガード時間付与部
３０１  信号受信部
３０２  信号送信部
３０３  リソースブロック構成記憶部
３１１  ガード区間判断部
３１２  ガード区間付与部
４０１  信号受信部
４０２  信号送信部
４０３  リソースブロック構成決定部
４０４  構成通知信号生成部
４１１  ガード区間判断部
４１２  ガード区間付与部
５０１  ＲＦモジュール
５０２  ＢＢ処理モジュール
５０３  ＵＥ制御モジュール
６０１  ＲＦモジュール
６０２  ＢＢ処理モジュール
６０３  装置制御モジュール
６０４  通信ＩＦ
【図１】
2016152676.tif 000003
【図２】
2016152676.tif 000004
【図３】
2016152676.tif 000005
【図４】
2016152676.tif 000006
【図５】
2016152676.tif 000007
【図６】
2016152676.tif 000008
【図７】
2016152676.tif 000009
【図８】
2016152676.tif 000010
【図９】
2016152676.tif 000011
【図１０】
2016152676.tif 000012
【図１１】
2016152676.tif 000013
【図１２】
2016152676.tif 000014
【図１３】
2016152676.tif 000015
【図１４】
2016152676.tif 000016
【図１５】
2016152676.tif 000017
【図１６】
2016152676.tif 000018
【図１７】
2016152676.tif 000019
【図１８】
2016152676.tif 000020
【図１９Ａ】
2016152676.tif 000021
【図１９Ｂ】
2016152676.tif 000022
【図２０】
2016152676.tif 000023
【図２１】
2016152676.tif 000024
【図２２】
2016152676.tif 000025
【図２３】
2016152676.tif 000026
【図２４】
2016152676.tif 000027
【図２５】
2016152676.tif 000028
【図２６】
2016152676.tif 000029
【図２７】
2016152676.tif 000030
【図２８】
2016152676.tif 000031
【図２９】
2016152676.tif 000032
【国際調査報告】
2016152676.tif 000033
2016152676.tif 000034
2016152676.tif 000035
2016152676.tif 000036
2016152676.tif 000037
2016152676.tif 000038
2016152676.tif 000039
2016152676.tif 000040